(57)【要約】【課題】ロール製品の上下の振動を防止することができ、軽量で強度が高く、しかも単一素材で構成することができ、製造が容易なロール製品梱包用のプロテクタおよび梱包資材を提供する。【解決手段】上向きに開口する略Ｕ字状の切り欠き溝１５を備えた前後のパネル１１、１２の間に、上半分に形成される矩形状の切り欠き１８ａおよびその切り欠きの底部に形成される上向きに開口する半円状の切り欠き１９を備えた中間パネル１９を介在させて支持部材を構成し、前後のパネル１１、１２の隙間で、中間パネルの矩形状の切り欠き１８ａに、下向きに開口する半円状の切り欠き２０を有する押さえパネル１４を挿入したプロテクタ１０。前後のパネル１１、１２および中間パネル１９は同一素材の段ボール製である。【選択図】図１
0003149426.tif 000002
【実用新案登録請求の範囲】
【請求項１】
ロール製品の芯管の端部に装着されるプロテクタであって、
正面から見た形状が矩形状で、上端で開口する扁平な筒状の形態を備え、正面の略中心部に芯管と嵌合する円弧状の受け部が形成され、かつ、上端から受け部まで芯管を通す案内溝を備えた支持部材と、
前記支持部材の上端の開口からスライド自在に挿入され、前記受け部に略円形の開口を残した状態で前記案内溝を塞ぐ押さえパネルとからなるプロテクタ。
【請求項２】
前記案内溝が上端中央から前記受け部まで下向きに直線状に延びている請求項１記載のプロテクタ。
【請求項３】
前記案内溝が上端の左右いずれかに寄った位置から下向きに延び、途中から前記受け部に向かうように斜め下ないし横向きに向きを変えて受け部まで延びている請求項１記載のプロテクタ。
【請求項４】
前記支持部材が、隙間を介して配置される前後のパネルを有し、
その隙間の略下半分が、前記受け部ないし案内溝と合致する上向きに開口する切り欠きを備えた中間パネルによって埋められており、
前記隙間の略上半分の左右が中間パネルの略矩形状の上向き突出部によってさらに埋められており、
前記押さえパネルが隙間の略上半分で、前記上向き突出部の間に上下スライド自在に収容されるものであり、
前後のパネルと左右の上向き突出部とで前後に扁平な筒状の形態が構成される請求項１、２または３記載のプロテクタ。
【請求項５】
前記前後のパネルおよび中間パネルを一体に締結する筒状のスリーブをさらに備えており、そのスリーブに前記受け部および案内溝と合致する切り欠き溝が形成されている請求項４記載のプロテクタ。
【請求項６】
前記支持部材が、隙間を介して配置される前後のパネルを有し、
その隙間の略下半分が、前記受け部ないし案内溝と合致する上向きに開口する切り欠きを備えた中間パネルによって埋められており、
前記前後のパネルおよび中間パネルを一体に締結する筒状のスリーブをさらに備えており、
そのスリーブに前記受け部および案内溝と合致する切り欠き溝が形成されており、
前記押さえパネルが前後のパネルの隙間の略上半分とスリーブの左右の部分との間に上下スライド自在に収容されるものであり、
前記前後のパネルとスリーブの左右の部分とで前後に扁平な筒状の形態が構成される請求項１、２または３記載のプロテクタ。
【請求項７】
前記支持部材および押さえパネルが、紙製または合成樹脂製の段ボールから構成されており、かつ、それぞれの部材が同一素材からなる請求項１〜６のいずれかに記載のプロテクタ。
【請求項８】
前記支持部材、押さえパネルおよびスリーブが、紙製または合成樹脂製の段ボールから構成されており、かつ、それぞれの部材が同一素材からなる請求項５または６記載のプロテクタ。
【請求項９】
直方体状のケースと、そのケースの対向する内面に一対で配置される請求項１〜８のいずれかに記載のプロテクタとからなる、ロール製品の梱包資材。
【考案の詳細な説明】
【技術分野】
【０００１】
本考案はロール製品をケースに梱包するとき、芯管の端部に装着してロール製品の端部や表面を保護するプロテクタおよびそれを用いた梱包資材に関する。本明細書では、とくに言及しない限り、「芯管の端部」は、芯管がロールの端部から突出していないときなどに芯管の端部に挿入される「キャップ」を含む。また、本明細書における「段ボール」は、とくに示さない限り紙製の段ボールのほか、合成樹脂製の段ボール（プラスチック段ボール）を含む。また、紙製の段ボールには、平坦な２枚の紙製の表層の間に紙製の波形の中間層（コルゲート層）を介して接合したものや中間層を複数段備えた積層タイプの通常の段ボールのほか、波形の中間層を表層に対して直角に配列した、いわゆる「ハニカム段ボール」も含む（特許文献３参照）。なお、紙製のハニカム段ボールのほか、同形状の合成樹脂製のハニカム段ボールも含む。
【背景技術】
【０００２】
大型の液晶パネルなどに用いられる合成樹脂フィルムは、芯管の周囲に巻き取ったロール製品として出荷される。その場合、図９に示すように、ロール製品１０１の表面を傷つけないように、芯管１０２の両端に合成樹脂製の筒状の部材（キャップ）１０３を挿入し、芯管１０２にワイヤロープを通して搬送する。そのとき、芯管１０２あるいはキャップ１０３に、中央に円形の穴１０４を形成した四角形のプロテクタ１０５をセットする。そしてポリプロピレンなどの合成樹脂製のバンドでプロテクタ１０５をロール製品１０１に固定し、その状態で段ボール製のケース（図１０の符号１０７参照）に収容する。この状態ではプロテクタ１０５がロール製品１０１の重量を支えるので、ロール製品１０１の周囲および両端がケース１０７の内面に触れず、傷がつかない。
【０００３】
そのようなプロテクタ１０５として、図９の右下に示すような、中央に円形の開口１０４ａを形成した木製あるいは合成樹脂製のパネル本体１０８と、そのパネル本体の内面（ロール製品と接触する側）に接着される段ボール製（紙製または合成樹脂製）のパット（ｐａｄ）１０９とからなるものが用いられている。パット１０９の中央にも円形の開口１０４ｂが形成されている。木製のパネル本体１０８には合板あるいは中密度繊維板が用いられ、たとえば厚さ１５ｍｍの合板を所定の大きさに切断したものを２枚貼り合わせ、中央の開口１０４ａを抜き加工する。合成樹脂製の場合は、中央の開口を有する形状に成型する。パット１０９は段ボールを切断、抜き加工して同様に形成される。
【０００４】
他方、フォークリフトで搬送するパレットを兼ねる底部材と、ロール製品を宙吊り状態で収納する左右の支持板とからなる梱包資材が提案されている（特許文献１）。このものは上端に略Ｕ字状の切り欠きを備えた支持板を底部材に対して折りたたみ自在に連結し、左右の支持板同士を側壁で連結している。そして梱包資材の全体を耐水性のコートを設けた段ボールで構成している。段ボールは複数枚を重ねて耐水接着剤で接着している。
【０００５】
また、特許文献２には、左右の側壁を底部材に対して噛み合わせ、側壁の上端同士をカバーで連結した、枠構造のロール品収容ボックスが開示されている。このものは、側壁の上端から略中央部まで、上向きに開口する略Ｕ字状の切り欠き溝が形成されており、側壁が支持板を兼ねている。このものは、生産・組み立ての構造上、前面と背面が大きく開口しており密封性に欠ける。また側壁の切り欠き溝によっても内外が連通している。特許文献３は、ハニカム段ボールを開示している。
【０００６】
【特許文献１】特開２００２−１０４４１２号公報
【特許文献２】特開２００３−５４５５７号公報
【特許文献３】特開平１０−２３０９３８号公報
【考案の開示】
【考案が解決しようとする課題】
【０００７】
図９に示すプロテクタ１０５は、木製のパネル本体１０８を用いるので、強度が充分である。また、中央の円形の開口１０４でキャップ１０３を介して芯管１０２を支持するので、輸送中あるいは搬送中のロール製品１０１の上下の振動を防止することができる。しかし芯管１０２をワイヤロープで吊り上げると、プロテクタ１０５を芯管１０２に挿入できない。そのため、たとえば図１０に示すように、芯管１０２に鋼製のパイプ１１０などを挿入し、そのパイプ１１０の両端をワイヤロープ１１１で吊り上げ（吊り工程Ｓ１）、ついで芯管１０２を地面ないし床面に固定したＹ字状の支持部材１１２に支持させ（仮置き工程Ｓ２）、プロテクタ１０５を芯管１０２に装着する（装着工程Ｓ３）。さらに鋼製のパイプ１１０あるいは芯管１０２の両端をワイヤロープ１１１で吊り上げて段ボールケース１０７に収容する（収容工程Ｓ４）。収納後にパイプ１１０を抜き取り、蓋１０７ａを閉じる。なお、段ボールケース１０７の蓋１０７ａや側壁１０７ｂには、切り欠きまたは開閉扉を設けてパイプ１１０を通すことができるようにしている。
【０００８】
このように従来のプロテクタ１０５では、一旦、ロール製品１０１を支持部材１１２へ載置してからプロテクタ１０５を芯管１０２に装着するので、取り扱いがきわめて煩雑である。ロール１０１を段ボールケース１０７から取り出す場合も同様である。さらに従来のプロテクタ１０５は、段ボールなどに比して重量が重く、穴開け加工や貼り合わせ加工などの製造工程が煩雑である。また、パネル本体１０８と段ボール製のパット１０９の複数素材を組み合わせるので、廃棄時に分別する必要があり、煩雑である。
【０００９】
他方、特許文献１、２のパレット兼用のボックスは、全体が段ボールであるため、軽量であり、分別廃棄の必要がないが、ロール製品の上下振動を抑制することができず、強度の点でも不安が残る。また、多数枚の段ボールを貼り合わせたり組み立てる作業も、簡単とはいえない。
【００１０】
本考案は、ロール製品の上下の振動を防止することができ、芯管への着脱が容易で、強度が高く、しかも軽量で製造が容易なロール製品梱包用のプロテクタおよび梱包資材を提供することを技術課題としている。
【課題を解決するための手段】
【００１１】
本考案のプロテクタ（請求項１）は、ロール製品の芯管の端部に装着されるプロテクタであって、正面から見た形状が矩形状で、上端で開口する扁平な筒状の形態を備え、正面の略中心部に芯管と嵌合する円弧状の受け部が形成され、かつ、上端から受け部まで芯管を通す案内溝を備えた支持部材と、前記支持部材の上端の開口からスライド自在に挿入され、前記受け部に略円形の開口を残した状態で前記案内溝を塞ぐ押さえパネルとからなることを特徴としている。
【００１２】
このようなプロテクタは、前記案内溝が上端中央から前記受け部まで下向きに直線状に延びているものが好ましい（請求項２）。また、前記案内溝が上端の左右いずれかに寄った位置から下向きに延び、途中から前記受け部に向かうように斜め下ないし横向きに向きを変えて受け部まで延びているものであってもよい（請求項３）。
【００１３】
また、前記支持部材が、隙間を介して配置される前後のパネルを有し、その隙間の略下半分が、前記受け部ないし案内溝と合致する上向きに開口する切り欠きを備えた中間パネルによって埋められており、前記隙間の略上半分の左右が中間パネルの略矩形状の上向き突出部によってさらに埋められており、前記押さえパネルが隙間の略上半分で、前記上向き突出部の間に上下スライド自在に収容されるものであり、前後のパネルと左右の上向き突出部とで前後に扁平な筒状の形態が構成されるものが好ましい（請求項４）。その場合、前記前後のパネルおよび中間パネルを一体に締結する筒状のスリーブをさらに備えており、そのスリーブに前記受け部および案内溝と合致する切り欠き溝が形成されているものが好ましい（請求項５）。
【００１４】
他方、前記支持部材が、隙間を介して配置される前後のパネルを有し、その隙間の略下半分が、前記受け部ないし案内溝と合致する上向きに開口する半円状の切り欠きを備えた中間パネルによって埋められており、前記前後のパネルおよび中間パネルを一体に締結する筒状のスリーブをさらに備えており、そのスリーブに前記受け部および案内溝と合致する切り欠き溝が形成されており、前記押さえパネルが前後のパネルの隙間の略上半分とスリーブの左右の部分との間に上下スライド自在に収容されるものであり、前記前後のパネルとスリーブの左右の部分とで前後に扁平な筒状の形態が構成されるものであってもよい（請求項６）。
【００１５】
前記いずれのプロテクタにおいても、前記支持部材および押さえパネルが、紙製または合成樹脂製の段ボールから構成されており、かつ、それぞれの部材が同一素材からなるものが好ましい（請求項７）。また、スリーブを有するプロテクタの場合は、前記支持部材、押さえパネルおよびスリーブが、紙製または合成樹脂製の段ボールから構成されており、かつ、それぞれの部材が同一素材からなるものが好ましい（請求項８）。本考案のロール製品の梱包資材（請求項９）は、直方体状のケースと、そのケースの対向する内面に一対で配置される前記いずれかのプロテクタとからなることを特徴としている。
【考案の効果】
【００１６】
本考案のプロテクタ（請求項１）は、押さえパネルを挿入する前は、支持部材の案内溝が上方に開いているので、あらかじめケースに設置した支持部材の案内溝に対し、芯管の端部を上側から挿入することができる。そして押さえパネルを扁平な筒状の支持部材の隙間に上方から挿入することにより、プロテクタの全体を芯管の端部に取付けることができる。したがって支持部材の受け部と押さえパネルにより、ロール製品の芯管の端部を上下の振動が生じないように支えることができる。
【００１７】
また、支持パネルの隙間が押さえパネルで埋められるので、全体が補強される。すなわち、支持部材と押さえパネルは、全体として従来の中心に円形の穴を備えたプロテクタ（図９参照）と実質的に同じ機能を発揮し、しかも芯管に対する装着が容易である利点がある。
【００１８】
前記案内溝が上端中央から前記中央近辺まで下向きに延びている場合（請求項２）は、吊り上げたロール製品の芯管の端部を案内溝に挿入して受け部まで案内するのが容易である。他方、前記切り欠き溝が上端の左右いずれかに寄った位置から下向きに延び、途中から前記受け部に向かうように斜め下向きないし横向きに向きを変えて受け部まで延びている場合（請求項３）は、ロール製品に加わる上下の振動が、押さえパネルだけでなく、案内溝の上縁でも一部支えられる。そのため、一層安全にロール製品を保護することができる。
【００１９】
また、前記支持部材が、隙間を介して配置される前後のパネルを有し、その隙間の略下半分が、前記受け部ないし案内溝と合致する上向きに開口する切り欠きを備えた中間パネルによって埋められており、前記隙間の略上半分の左右が中間パネルの略矩形状の上向き突出部によってさらに埋められており、前記押さえパネルが隙間の略上半分で、前記上向き突出部の間に上下スライド自在に収容されるものであり、前後のパネルと左右の上向き突出部とで前後に扁平な筒状の形態が構成される場合（請求項４）は、実質的にロール製品の重量を支える支持部材の下半分の隙間があらかじめ埋められて中実になっているので、強度が高い。さらに上半分の左右についても、中間パネルの上向き突出部と押さえパネルとでほぼ中実になっているので、強度が高い。
【００２０】
前記前後のパネルおよび中間パネルを一体に締結する筒状のスリーブをさらに備えており、そのスリーブに前記受け部および案内溝と合致する切り欠き溝が形成されている場合（請求項５）は、前後のパネルと中間パネルとをあらかじめ接着剤などで接合する必要がなく、製造が容易である。また、廃棄するときの処理も容易である。
【００２１】
他方、前記支持部材が、隙間を介して配置される前後のパネルを有し、その隙間の略下半分が、前記受け部ないし案内溝と合致する上向きに開口する切り欠きを備えた中間パネルによって埋められており、前記前後のパネルおよび中間パネルを一体に締結する筒状のスリーブをさらに備えており、そのスリーブに前記受け部および案内溝と合致する切り欠き溝が形成されており、前記押さえパネルが前後のパネルの隙間の略上半分とスリーブの左右の部分との間に上下スライド自在に収容されるものであり、前記前後のパネルとスリーブの左右の部分とで前後に扁平な筒状の形態が構成される場合（請求項６）も、前後のパネルと中間パネルをスリーブで一体に締結することができるので、前後のパネルと中間パネルとをあらかじめ接着剤などで接合する必要がなく、製造が容易である。また、廃棄するときの処理も容易である。
【００２２】
前記支持部材および押さえパネルが、紙製または合成樹脂製の段ボールから構成されており、かつ、それぞれの部材が同一素材からなる場合（請求項７）は、軽量であり、しかも廃棄時に分別する必要がない。また、スリーブを有するプロテクタの場合は、そのスリーブも紙製または合成樹脂製の段ボールから構成し、かつ、同一素材にするのが好ましく（請求項８）、それによりプロテクタが軽量になり、廃棄時に分別する必要がなくなる。
【００２３】
本考案の梱包資材（請求項９）は、ロール製品の芯管またはその芯管に挿入した鋼製のパイプの左右端をワイヤで吊り上げ、あらかじめ支持部材を装着したケースに収容し、ついで押さえ部材を支持部材に装着することにより、ロール製品を安定して保管、搬送することができる。また、吊り上げたロール製品をケースに収容したり、取り出したりする作業が簡単である。
【考案を実施するための最良の形態】
【００２４】
つぎに図面を参照しながら本考案の実施の形態を説明する。図１は本考案のプロテクタの一実施形態を示す組み立て前の斜視図、図２はそのプロテクタの組み立て後を示す斜視図、図３は本考案に関わるスリーブの一実施形態を示す斜視図、図４はそのスリーブを備えたプロテクタの一実施形態を示す斜視図、図５は図４のプロテクタを用いてロール製品を梱包する手順を示す斜視図、図６および図７はそれぞれ本考案のプロテクタの他の実施形態を示す斜視図、図８ａおよび図８ｂはそれぞれ本考案のプロテクタのさらに他の実施形態を示す正面図である。
【００２５】
図１に示すプロテクタ１０は、内パネル（前パネル）１１と、外パネル（後パネル）１２と、それらの間に介在される中間パネル１３と、前記内パネル１１と外パネル１２の隙間に上側から挿入され押さえパネル１４とからなる。内パネル１１と外パネル１２は同形状であり、全体的に矩形状の輪郭を有し、上端中央から中心に向かって上向きに開口する略Ｕ字状の切り欠き溝１５が形成されている。切り欠き溝１５は、矩形部（案内溝）１６と、その矩形部と連続する半円部（受け部）１７とからなる。矩形部１６の左右の内側縁同士は、通常は平行であるが、上に向かっていくらか拡がるテーパ状とすることもできる。
【００２６】
内パネル１１および外パネル１２としては、厚さ３〜１５ｍｍ程度の段ボールが用いられる。厚いものでは中間層（コルゲート）を２層以上有する段ボールが用いられる。また、厚さ３〜８ｍｍの段ボールを複数枚、たとえば２枚重ねて構成することもできる。重ねた段ボールは接着する必要はないが、両面テープや粘着テープなどで仮着してもよい。ただし接着することもできる。２枚の表層の間にコルゲート層を挟んだ段ボールや、２枚の表層の間に多数のリブを介在させたプラスチック段ボールなど、折り曲げに対する強度に強弱がある段ボールの場合は、コルゲート層の溝やリブが上下方向になるように、上下方向の支持強度が高くなる向きにする。ハニカム段ボールでは、折り曲げ強度に強弱がないので、いずれの向きでもよい。
【００２７】
中間パネル１３は、下端および左右端の輪郭が、内パネル１１および外パネル１２の輪郭と略合致しており、左右に矩形状の上向きの突出部１８を残して上端から略中心まで幅が広い矩形状の切り欠き１８ａが形成され、その矩形状の切り欠き１８ａの底部中央に内パネル１１および外パネル１２の半円部１７と同形状の半円状の切り欠き（受け部）１９が形成されている。なお、中間パネル１３の矩形状の切り欠き１８ａは、内パネル１１のＵ字状の切り欠き溝１５のうち、矩形部１６の幅を拡げたものと見ることもできる。中間パネル１３は前述の段ボールを複数枚、たとえば３枚重ねて構成することができる。
【００２８】
前記押さえパネル１４は、中間パネル１３の矩形状の切り欠き１８に挿入される左右幅および高さを有し、下端の中央部に下向きに開口する半円状の切り欠き２０が形成されている。厚さは中間パネル１３と同一である。この押さえパネル１４は、中間パネル１３を製造するときに矩形状の切り欠き１８を打ち抜いたときに得られる矩形状のパネル材で構成することができる。
【００２９】
前記押さえパネル１４は中間パネル１３と同一の枚数の、たとえば３枚の段ボールを重ねて構成することができる。中間パネル１３の矩形状の切り欠き１８およびそれに嵌合される押さえパネル１４の輪郭は、通常は左右の側縁同士が平行にするが、上に向かっていくらか拡がるようにしてもよい。
【００３０】
上記のように構成される内パネル１１、外パネル１２および中間パネル１３は、図２に示すように、中間パネル１３を間に介在させて重ね合わせ、両面テープなどで仮着しておく。それにより、内パネル１１と外パネル１２の間の上半分に中間パネル１３の厚さに相当する隙間２１があり、前後方向に貫通するＵ溝２２を有する支持部材２３が得られる。この支持部材２３は、下半分および左右の両側部が多数枚の段ボール（前述の例では、各層が２枚、３枚、２枚の３層で、全体が７枚の段ボール）が密に重なった形態であるので、強度が高い。下半分の上端中央に形成される半円状の切り欠き２４も、多数枚のパネルが密に重なっているので、その部位にロール製品２５の芯管２６を乗せてもその重量に充分に耐えることができる。そしてＵ溝２２は上側が開口しているので、吊り上げたロール製品２５をケース内に設置した支持部材２３に容易に装着することができる。
【００３１】
上記のようにして得られた支持部材２３の隙間２１の大きさは、押さえパネル１４の厚さと同一であり、隙間２１の左右の幅および深さは押さえパネル１４の幅および高さと同一である。そのため、ロール製品２５を装着した後、その隙間２１に押さえパネル１４を挿入すると、押さえパネル１４の前後の面が内パネル１１と外パネル１２の対応する面によって挟まれ、摩擦によって保持される。粘着テープで固定してもよい。さらに前述のように押さえパネル１４の左右の側縁が中間パネル１３の矩形状の切り欠き１８の内側縁に嵌合する。そのため、ロール製品２５を支持部材２３と押さえパネル１４によって、振動しないようにしっかりと保持することができる。
【００３２】
図２の支持部材２３はそれ自体で扁平な筒状を呈する支持部材として使用できるが、図３に示すスリーブ２７を巻き付けることにより、一層強度が高くなり、取り扱いも容易になる。このスリーブ２７は、内パネル１１と略同形状の内面シート２８および外面シート２９、両者の側縁の間に介在される襠シート３０、内面シート２８と外面シート２９の自由端（側縁）にそれぞれ連続するフラップ３１、３２からなる。このスリーブ２７も前述と同様の段ボールにＵ字状の切り欠き溝３３を形成し、折り曲げのための罫線３４を入れることによって製造することができる。このものはフラップ３１、３２同士を重ねることにより、扁平な筒状に組み立てることができる。フラップ３１、３２の重なる面を両面テープで接合するなど、フラップ３１、３２同士を接合しておくのが好ましい。
【００３３】
このスリーブ２７は、たとえば図４に示すように、図２の支持部材２３の周囲に巻き付けて、フラップ３１、３２同士を重ねて貼着することにより、全体を一体化することができ、全体として強度が高い支持部材３５となる。この場合は、外パネル１２、中間パネル１３および内パネル１１は接着剤で接着する必要がなく、製造が容易である。また、段ボールを再生する場合も手間が省ける。このようにして得られた支持部材３５を押さえパネル１４と組み合わせることにより、強度が高いプロテクタ３６となる。
【００３４】
なお、スリーブ２７をあらかじめ筒状に形成しておき、その後、その内部に外パネル１２、中間パネル１３および内パネル１１の束を押し込むようにしてもよい。このようなスリーブ２７は、重ねたパネルを一体化するだけでなく、それ自体が支持構造の一部となり、ロール製品を支持する役割を果たす。スリーブ２７を構成する段ボールのコルゲートやリブの方向も上下方向とする。
【００３５】
図５は図１のプロテクタ１０あるいは図４のプロテクタ３６を用いてロール製品２５を梱包する手順を示している。はじめにロール製品２５の芯管２６に鋼製のパイプなどの心材３７を通し、その心材３７にワイヤロープ３８を引っかけて、ロール製品２５を吊り上げる。また、芯管２６にワイヤロープ３８を通して吊ることもできる。
【００３６】
他方、段ボール箱などのケース３９の左右の側壁３９ａの内面に沿ってあらかじめ図４のプロテクタ３６の支持部材３５を装着しておく。なお、ケース３９の左右の側壁３９ａには、上端から中央近辺まで、吊り上げ用の心材３７を通すための切り欠き３９ｂを形成しておき、側壁３９ａと連続する蓋４０ａには、吊り上げ用の心材３７との干渉を避けるための切り欠き４０ｂを形成しておく。切り欠き３９ｂ、４０ｂを形成するとき、完全に抜き取らず、側縁に形成した折り目線で開閉自在にした蓋片３９ｃ、４０ｃで開閉自在にしておくのが好ましい。
【００３７】
そして蓋片３９ｃ、４０ｃを開いた状態にした上で、前述のようにワイヤロープ３８で吊り上げたロール製品２５をそのままケース３９に入れ、芯管２６を支持部材３５のＵ溝（図２の符号２２および図３の切り欠き溝３３）に挿入し、ロール製品２５を支持部材３５に支持させる。ついで支持部材３５に対し、上側から押さえパネル（図２の符号１４）を装着する。上記のように支持部材３５はあらかじめケース３９に入れておくので、吊り上げたロール製品２５に途中でプロテクタを挿入する必要がなく、図９のようなＹ字状の支持部材１１２に仮置きする必要がない。そしてケース３９内では、ロール製品２５の両端がプロテクタ３６によって覆われているため、ケース３９にロール製品２５の端部をぶつけて傷つけることが防止される。なお、左右一対のプロテクタ３６とケース３９で構成される梱包資材は、本考案の梱包資材の一実施形態である。なお、プロテクタとしては、スリーブを有しない図１のプロテクタ１０を使用することもできる。
【００３８】
ロール製品２５をケース３９内に収容し、押さえパネルを装着した後は、ワイヤロープ３８を外し、心材３７を抜き取る。ついでケース３９の蓋４０ａ、４０ｄを閉じ、扉片３９ｃ、４０ｃを閉じて切り欠き３９ｂ、４０ｂを塞ぎ、蓋４０ａ、４０ｄなどをテープで固定して梱包を完了する。収納後では、従来のプロテクタと同様に、プロテクタが芯管２６を支持するので、ロール製品２５はケース３９の内面に接触しない。そのためロール製品２５に傷がつかない。さらにプロテクタの押さえパネルが芯管２６を上から押さえているので、搬送時にロール製品２５の振動、とくに上下の振動が抑制される。
【００３９】
開梱する場合は、前述と逆にすればよい。すなわち、押さえパネル１４を上向きに引き抜き、扉片３９ｃ、４０ｃを開き、芯管２６に心材３７を通し、ワイヤロープ３８で吊り上げる。
【００４０】
図４のプロテクタ３６では、中間パネル（図１の符号１３）の左右の上部に所定幅の側縁を残すように矩形状の切り欠き（図１の符号１８）を形成しているが、図６に示すプロテクタ４２のように、左右上部の側縁を残さず、下半分だけで支持部材４３の中間パネル４４を形成することもできる。押さえパネル４５の左右の幅は、スリーブ２７の左右の内幅、すなわち中間パネル４４の左右幅と同一にする。他の部分は図４のプロテクタ３６と実質的に同一であり、梱包方法も同じである（図５参照）。図６のプロテクタ４２は、スリーブ２７を含めた全体で扁平な筒状の形態が形成される。このこのも前述と同様の作用効果を奏し、しかも中間パネル４４および押さえパネル４５の製造が容易である。
【００４１】
図７に示すプロテクタ４７の支持部材４８は、左右一対の、それぞれ上下に延びる所定幅の中間パネル４９を備えている。そして押さえパネル５０は内パネル（図１の符号１１）および外パネル（図１の符号１３）の高さと同一の高さとし、左右の中央から下に延び、下端で開口するＵ字状の切り欠き溝５１を形成している。このプロテクタ４７では、支持部材４８のＵ字状の切り欠き溝１５の半円部（受け部）１７と押さえパネル５０の切り欠き溝５１の半円部５２とで形成される円形の孔にロール製品の芯管を装着することができる。また梱包方法は図１のプロテクタの場合と同じである（図５参照）。
【００４２】
図８ａに示すプロテクタ５４は、支持部材５５に形成されるＵ字状の切り欠き溝１５が支持部材５５の中心部ではなく、上端の左へ片方に偏った位置から下向きに延び、さらに屈曲ないし湾曲して斜め下に延びて中心部（受け部）５６に向かっている。なお、図８ｂのように横向きに延びるようにしてもよい。支持部材５５の前後のパネルの間に形成される隙間は、左側のみに設けられ、押さえパネル５７も左側だけである。そのため、押さえパネル５７の下端の切り欠き５８は、略１／４円の扇状である。他の構成は図１のプロテクタ１０と実質的に同一であり、梱包方法も同じである（図５参照）。このプロテクタ５４は、ロール製品の芯管を支持部材５５と押さえパネル５７で上下から挟んだとき、押えパネル５７だけでなく、切り欠き溝１５の斜めに延びる部分の上縁５９でも押えることができる。そのため、プロテクタ５４は上下振動を一層防止することができる。
【００４３】
図８ｂのプロテクタ６０では、切り欠き溝１５の下部が横向きに延びている。そして支持部材５５の前後のパネルの間に形成される隙間は、図１の場合と同様に、左右対称に設けられ、押さえパネル５６も左右対称である。押さえパネル５６の切り欠き５８は図１の場合と同様、中心部に半円状に設けられている。このプロテクタ６０では、切り欠き溝１５の下部が横向きに延びているので、ロール製品を収納したとき、上下振動を一層防止することができる。
【００４４】
本考案のプロテクタは、紙製の段ボールのほか、プラスチック製の段ボールも使用することができる。また、コルゲートの中間層を有するもののほか、ハニカム段ボール（紙製および合成樹脂製）も使用することができる。ハニカム段ボールを用いると、屈曲に対する強度が高くなる。いずれの場合も、同一の素材のシートで構成するのが好ましい。それにより、分別廃棄の必要がなく、資材の再利用、再生が容易である。
【図面の簡単な説明】
【００４５】
【図１】本考案のプロテクタの一実施形態を示す組み立て前の斜視図である。
【図２】図１のプロテクタの組み立て後を示す斜視図である。
【図３】本考案に関わるスリーブの一実施形態を示す斜視図である。
【図４】図３のスリーブを備えたプロテクタの一実施形態を示す斜視図である。
【図５】図４のプロテクタを用いてロール製品を梱包する手順を示す斜視図である。
【図６】本考案のプロテクタの他の実施形態を示す斜視図である。
【図７】本考案のプロテクタのさらに他の実施形態を示す斜視図である。
【図８】図８ａおよび図８ｂはそれぞれ本考案のプロテクタのさらに他の実施形態を示す正面図である。
【図９】従来のプロテクタの一例を示す斜視図である。
【図１０】そのプロテクタを用いたロール製品の梱包手順を示す工程図である。
【符号の説明】
【００４６】
１０  プロテクタ
１１  内パネル
１２  外パネル
１３  中間パネル
１４  押さえパネル
１５  切り欠き溝
１６  矩形部
１７  半円部
１８  上向き突出部
１８ａ  矩形状の切り欠き
１９  半円状の切り欠き
２０  半円状の切り欠き
２１  隙間
２２  Ｕ溝
２３  支持部材
２４  半円状の切り欠き
２５  ロール製品
２６  芯管
２７  スリーブ
２８  内面シート
２９  外面シート
３０  襠シート
３１、３２  フラップ
３３  Ｕ字状の切り欠き溝
３４  罫線
３５  支持部材
３６  プロテクタ
３７  心材
３８  ワイヤロープ
３９  ケース
３９ａ  側壁
３９ｂ  切り欠き
３９ｃ  蓋片
４０ａ  蓋
４０ｂ  切り欠き
４０ｃ  蓋片
４０ｄ  蓋
４２  プロテクタ
４３  支持部材
４４  中間パネル
４５  押さえパネル
４７  プロテクタ
４８  支持部材
４９  中間パネル
５０  押さえパネル
５１  Ｕ字状の切り欠き溝
５２  半円部
５４  プロテクタ
５５  支持部材
５６  中心部
５７  押さえパネル
５８  切り欠き
５９  切り欠き溝の上縁
６０  プロテクタ
【図１】
0003149426.tif 000003
【図２】
0003149426.tif 000004
【図３】
0003149426.tif 000005
【図４】
0003149426.tif 000006
【図５】
0003149426.tif 000007
【図６】
0003149426.tif 000008
【図７】
0003149426.tif 000009
【図８】
0003149426.tif 000010
【図９】
0003149426.tif 000011
【図１０】
0003149426.tif 000012